(57)【要約】【課題】  同一の包装箱を用いる場合でも、包装箱以外の別部材や筆記用具などを必要とせずに内容物の表示を変更できる包装箱を提供する。【解決手段】  シート状の包装材料を折り曲げて、底板部と、底板部の周縁から立ち上がる側板部２と、側板部２に連続して設けられたフラップ部１と、天板部３とを有する箱を形成する包装箱１００において、フラップ部１には、側板部２に対して略平行となるように折り返した状態で、側板部２の内面に対向する面に、識別標示Ｓ１及びＳ２を設け、側板部２には、外部に貫通する表示窓７を識別標示Ｓ１及びＳ２と対向する位置に設けた。【選択図】        図１
2005263266.tif 000002
【特許請求の範囲】
【請求項１】
シート状の包装材料を折り曲げて、底板部と、前記底板部の周縁から立ち上がる側板部と、前記側板部に連続して設けられたフラップ部と、天板部とを有する箱を形成する包装箱において、
前記フラップ部には、前記側板部に対して略平行となるように折り返した状態で、前記側板部の内面に対向する面に、識別標示を設け、
前記側板部には、外部に貫通する表示窓を前記識別標示と対向する位置に設けた包装箱。
【請求項２】
前記フラップ部は、折り返し順序を変えることにより、前記側板部の内面に対向させ得る面を複数有し、これら複数の面の全部又は一部に前記識別標示を設けた請求項１に記載の包装箱。
【請求項３】
前記フラップ部は、前記側板部に連続して、それぞれ独立に複数設けられており、これら複数のフラップ部の二つ以上に、前記識別標示が設けられ、前記側板部には前記識別標示が設けられた各フラップ部の前記識別標示に対向する位置にそれぞれ表示窓を設けた請求項１又は２に記載の包装箱。
【請求項４】
前記フラップ部が、
前記側板部との境界に沿って折り曲げ可能な水平折曲部と、
前記水平折曲部に平行に前記フラップ部の両側から中央に向けて設けた第一及び第二の水平切込部と、
前記第一及び第二の水平切込部の中央側端部から、前記水平折曲部に直交する方向へ折り曲げ可能な第一及び第二の垂直折曲部と、
を有する請求項１に記載の包装箱。
【発明の詳細な説明】
【技術分野】
【０００１】
本発明は、シート状の包装材料を折り曲げて加工された包装箱に関する。さらに詳しくは、シート状の包装材料を折り曲げて、底板部と、前記底板部の周縁から立ち上がる側板部と、前記側板部に連続して設けられたフラップ部と、天板部とを有する箱を形成する包装箱に関する。
【背景技術】
【０００２】
段ボールなどのシート状の包装材料を折り曲げ加工して物品を梱包する包装箱は、梱包前には畳んだ状態にして場所を取らずに保管できることからも広く用いられている。そして、近い形状の製品を緩衝部材などで調整して梱包したり、同一形状の製品を梱包する際などには、同一形状の包装箱を用い、包装箱外部の表示で内容物を区別するようにしている。
【０００３】
この包装箱外部の表示に際しては、内容物が印字された表示札を包装箱とは別に用意し、梱包後に包装箱に貼り付けるという方法もよく用いられる。また、貼り付けるだけではなく、あらかじめ袋状の表示欄を設けておき、その表示欄に表示札を挿入するようにしたものもある。
【０００４】
特許文献１には、このような表示欄に対して縦横に伸張する寸法目盛りを設け、そこに包装箱の内容物の見本品を貼付するサンプル貼付欄を設けた発明が開示されている。
【０００５】
【特許文献１】特開２００１−９７３８８（図１、段落番号０００５、０００６）
【０００６】
また、あらかじめ包装箱に表示された複数種類の内容物表示にチェックマークを付けるという方法もある。図１２に複写機やプリンターなどのトナーカートリッジを梱包する包装箱の例を示す。本例では、ＴＫ−７０１、ＴＫ−７０２という２種類の製品名をあらかじめ、包装箱２００に表示し、その製品名表示部に設けたチェック部１０をチェックすることで、内容物を表示するようにしている。内容物が、ＴＫ−７０１であれば、チェック部１０ａを塗りつぶす、チェックマークを付けるなどの追加表示を行う。
【発明の開示】
【発明が解決しようとする課題】
【０００７】
しかしながら、このような従来の方法では、製品の梱包に際して、表示札や見本などの、別の部材が必要となる。また、図１２に示した例のようにチェックマークを付けるには、梱包の際に筆記用具が必要となる。さらに、人為的なチェックが製品外部の表示部に使用されると、作業者による記入の差異などで、外観上の統一が取れず、見栄えが悪くなる可能性もある。また、チェック部１０が例えば塗りつぶされている方と空白のままの方とのどちらが内容物なのか等、チェック部１０の意味するところが、消費者に正しく伝わらない可能性もある。
【０００８】
本願に係る発明は、前述のような問題点に鑑みて為されたもので、同一の包装箱を用いる場合でも、包装箱以外の別部材や筆記用具などを必要とせずに内容物の表示を変更できる包装箱を提供することを目的としている。
【課題を解決するための手段】
【０００９】
本発明に係る第一特徴構成は、フラップ部には、側板部に対して略平行となるように折り返した状態で、前記側板部の内面に対向する面に、識別標示を設け、前記側板部には、外部に貫通する表示窓を前記識別標示と対向する位置に設けた点にある。
【００１０】
第一特徴構成によれば、折り返した状態で側板部の内面に対向する面に設けた識別標示が、包装箱の外部から視認できるように、前記側板部を貫通する表示窓を設けた。従って、別部材や筆記用具を必要とせず、シート状の包装材料を折り曲げて前記包装箱を組立加工（折り曲げ加工）するのみで、内容物の表示が可能となる。
【００１１】
また、折り曲げ加工のみで梱包を完了しているので、内容物を変更する際にも、そのまま包装箱を再利用できる。チェックマークや表示札を付けると、その包装箱は再利用できず、無駄になってしまうが、本願の特徴構成では経済的であり、対環境性にも優れたものである。
【００１２】
本発明に係る第二特徴構成は、上述した第一特徴構成に加えて、前記フラップ部は、折り返し順序を変えることにより、前記側板部の内面に対向させ得る面を複数有し、これら複数の面の全部又は一部に前記識別標示を設けた点にある
【００１３】
第二特徴構成によれば、フラップ部を折り返す加工順序によって側板部の内面に対向する面が複数できるようにし、それらの各面に識別標示を設けることができる。従って、別部材や筆記用具を必要とせず、側板部の内面に対向する面の数分だけ、異なった内容物の表示が可能となる。
【００１４】
本発明に係る第三特徴構成は、上述した第一及び第二特徴構成に加えて、前記フラップ部は、前記側板部に連続して、それぞれ独立に複数設けられており、これら複数のフラップ部の二つ以上に、前記識別標示が設けられ、前記側板部には前記識別標示が設けられた各フラップ部の前記識別標示に対向する位置にそれぞれ表示窓を設けた点にある。
【００１５】
第三特徴構成によれば、側板部に連続して独立した２つ以上のフラップ部に折り返し加工して表示可能な識別標示を設けた。また、識別標示を設けたフラップ部が連続する各側板部には、フラップ部を折り返し加工した後でその識別標示が包装箱の外部から視認できるように表示窓を設けた。従って、包装箱周囲の複数方向から視認可能な表示を行うことができる。直方体の包装箱を保管場所によって、方向を変えて積みたいような場合に対しても良好に視認可能な表示を、別部材や筆記用具を必要とせずに実現できる。
【００１６】
本発明に係る第四特徴構成は、上述した第一特徴構成に加えて、前記フラップ部が、前記側板部との境界に沿って折り曲げ可能に設けた水平折曲部と、前記水平折曲部に平行に前記フラップ部の両側から中央に向けて設けた第一及び第二の水平切込部と、前記第一及び第二の水平切込部の中央側端部から、前記水平折曲部の折り曲げ方向に直交する方向へ折り曲げ可能な第一及び第二垂直折曲部とを有する点にある。
【００１７】
第四特徴構成によれば、第一又は第二垂直折曲部のどちらを先に折り曲げるかによって、２つの異なる面に表示された識別標示を側板部の内面に対向することができる。従って、少なくとも、２つの異なった識別標示を、側板部に貫通した表示窓を通して、包装箱外部より視認可能とすることができる。その結果、別部材や筆記用具を必要とせず、異なった内容物の表示が可能となる。
【発明を実施するための最良の形態】
【００１８】
［第一の実施の形態］
以下、本発明の第一の実施形態について図面に基づいて説明する。図９は本実施形態に係る包装箱１００の展開図である。図１〜図８は、本実施形態に係る包装箱１００の折り曲げ加工の手順を示す斜視図である。
【００１９】
本発明に係る包装箱１００は、例えば段ボールなどのシート材料を用いて、図９に示すように切り抜き成形される。すなわち、フラップ部１、側板部２、天板部３、底板部４、天板部３を固定するための差込部５、天板部３と差込部５とを係止する係止部６（第一スリット部６ａ、第二スリット部６ｂ、係止舌部６ｃ）、貫通穴による表示窓７、のりしろ８の各部を有して一平面上に構成される。
【００２０】
また、製品種別や型番などで示された内容物、生産者、販売者、注意事項などの情報は、組立後に包装箱の表側となる面、すなわち図に示されている側の面のみに印刷される。図９では上記の情報の内、本実施の形態の説明に必要な製品型番で内容物を示す２種類の識別標示Ｓ１（第一の識別標示）及びＳ２（第二の識別標示）のみを表示している。これらの識別標示も、図９の展開図で組立後に包装箱の表側となる面と同じ面に印刷される。尚、本例では、識別標示Ｓ１は、製品名ＴＫ−７０１、識別標示Ｓ２は、製品名ＴＫ−７０２である。
【００２１】
以下、この印刷面側を上に向けて水平にこのシート材料を置き、折曲部で折り曲げることによって、その折曲部がシート材料の他の部分よりも上にくるような折り方、すなわち、山の形になるような折り方を山折りと称して説明する。
【００２２】
折り曲げ加工に先立って、図９に示す側板部２ａ〜２ｄ及びのりしろ８の境界にある折曲部を山折りに折り曲げて、側板部２ｂと２ｄとの辺が一致するように接合する。具体的には、のりしろ８を側板部２ｂの内面（展開図では裏側）に対向させて接着する。なお、側板２ｃと側板２ａとの境界と、側板２ｄとのりしろ８との境界だけを折り曲げて、のりしろ８を側板部２ｂの内面（展開図では裏側）に対向させて接着した状態で保管している場合もある。厚みは増すが平面の面積は減少するので、保管場所を確保し易く、また、包装箱の組み立てに際しては、折り曲げ加工のみでよく、接着などの工程を省くことができるからである。
【００２３】
次に、底板部４を構成する各底板４ａ〜４ｄをそれぞれの底板が連接する側板部２ａ〜２ｄの境界の折曲部で、４ｂ、４ｃ、４ｄ、４ａの順に同じく山折りに折り曲げる。底板４ｄを押し込むと、底板４ａ〜４ｄは互いにロックされて包装箱１００の底に面としての底板部４を構成する。本例では、底板部４を４枚の底板４ａ〜４ｄによって構成したが、天板３と同様に一枚で構成して、その他の部分（例えば底板４ｂ、４ｃの部分）は、フラップとして使用してもよい。
【００２４】
ここまで組み立てると、図１の斜視図に示したような包装箱１００となっている。ここで、この包装箱１００にトナーカートリッジ（製品名ＴＫ−７０１）を梱包する場合について説明する。
【００２５】
フラップ１ａと側板２ａとの境界には、この境界に沿って折り曲げ可能な水平折曲部Ｈ１が設けられている。本例では、この境界と一致する第一の水平折曲位置Ｈ１ａと、これに平行にフラップ１ａ内に設けた第二の水平折曲位置Ｈ１ｂとを有する。また、この水平折曲部Ｈ１に平行に、フラップ１ａの両側から中央に向けて水平切込部Ｃ１を有している。本例では、第二の水平折曲位置Ｈ１ｂに連続して、第一の水平切込部Ｃ１ａと第二の水平切込部Ｃ１ｂを有している。
【００２６】
第一及び第二の水平切込み部Ｃ１ａ、Ｃ１ｂの中央側端部からは、水平折曲部Ｈ１に直交する方向への折り曲げを可能とする垂直折曲部Ｖ１及びＶ２が、それぞれに対応して設けられている。すなわち、第一の水平切込部の中央側端部からは第一の垂直折曲部Ｖ１（Ｖ１ａ、Ｖ１ｂ）が、第二の水平切込部の中央側端部からは第二の垂直折曲部Ｖ２（Ｖ２ａ、Ｖ２ｂ）が、それぞれフラップ１ａ上に設けられている。第一及び第二の垂直折曲部Ｖ１、Ｖ２は、それぞれ第一の垂直折曲位置Ｖ１ａ、Ｖ２ａと第二の垂直折曲位置Ｖ１ｂ、Ｖ２ｂとを有する。
【００２７】
はじめに、第二の垂直折曲部Ｖ２ｂとＶ２ａとを図１の矢印Ｔ１の方向へ、山折りに折り曲げる。次に第一の垂直折曲部Ｖ１ｂとＶ１ａとを、矢印Ｔ２の方向へ、山折りに折り曲げる。この時点で、識別標示Ｓ２は識別標示Ｓ１が記載された部分であるフラップ片１ａ１によって隠され、識別標示Ｓ１が視認可能となっている。
【００２８】
続いて、図２に示す矢印Ｔ３のように水平折曲部（第一の水平折曲位置）Ｈ１ａを山折りに折り曲げ、次に水平折曲部（第二の水平折曲位置）Ｈ１ｂを山折りに折り曲げる。すなわち、フラップ１ａを側板２ａに対して略平行となるように折り返した状態で、識別標示Ｓ１は、側板２ａの内面に対向する。そして、この状態で識別標示Ｓ１に対向する位置に設けた側板２ａに貫通する表示窓７を通して、識別標示Ｓ１は包装箱１００の外部から視認可能となる。
【００２９】
図３に示す状態までの折り曲げ加工を終えると、内容物であるトナーカートリッジ（製品名ＴＫ−７０１）を包装箱１００に挿入し、梱包する。その後、図３の矢印Ｔ４に示すように、天板部３とそれに連接する差込部５とを山折りにし、差込部５を係止部６の第一スリット部６ａに挿入する。続いて、係止舌部６ｃを第二スリット部６ｂへ挿入し、側板２ａと天板３を固定して、包装箱１００の組み立てを完了する。組み上がった包装箱１００の外部からは、図４に示すように表示部７を通して識別標示Ｓ１が視認可能である。このように、のりしろ８以外は、全て折り曲げ加工のみで梱包を完了できる。
【００３０】
以上、図１〜４を用いて識別標示Ｓ１を表示部７に表示する手順を説明した。識別標示Ｓ２を表示部７に表示する手順も同様であり、図５〜８に示す。図５において、第一の垂直折曲部Ｖ１（Ｖ１ａ、Ｖ１ｂ）を先に折り曲げて、その後、第二の垂直折曲部Ｖ２（Ｖ２ａ、Ｖ２ｂ）を折り曲げると、識別標示Ｓ１がフラップ片１ａ２によって隠されて、識別標示Ｓ２が表示できる。図６〜図８に示した手順は、図２〜図４で説明した手順と同様である。包装箱１００が組み上がると、図８のようになり、表示部７を通して、識別標示Ｓ２が視認可能となっている。
【００３１】
すなわち、側板２ａの内面に対向させ得る面をフラップ片１ａ１及び１ａ２のように複数有し、これらの複数の面に識別標示Ｓ１及びＳ２を設けた。そして、フラップ片１ａ１及び１ａ２は、第一の垂直折曲部Ｖ１又は第二の垂直折曲部Ｖ２のどちらを先に折り曲げるかという、折り返し順序を変えることによって、側板２ａの内面に対向させられる。その結果、側板２ａに貫通する表示部７を通して、複数の識別標示Ｓ１又はＳ２の表示に対応できる。
【００３２】
以上説明したように構成することで、同一の包装箱を用いて、異なる物品を梱包する場合でも、別部材や筆記用具を必要とせず、シート状の包装材料を折り曲げて包装箱を組立加工すると同時に、物品を区別した表示が可能となる。
【００３３】
また、図９の展開図からも明らかなように、フラップ１ａの部分は、本例のように使用しなければ、フラップ１ｂ、１ｃと同様に構成されるので、使用されずに廃棄される部分が多い。本例のように構成することによって、段ボールを無駄なく利用できる。また、識別標示Ｓ１及びＳ２を共に組み立て後に包装箱１００の表側となる面と同じ面に設けたことにより、印刷も従来通り、片面のみでよく、包装箱の製造コストに全く影響を与えずに、上記効果を得ることができる。
【００３４】
さらに、のりしろ８の接着以外は全てを折り曲げ加工のみで梱包を完了しているので、梱包する物品を変更する際にも、そのまま包装箱を再利用できる。チェックマークを付けたり表示札を貼付する方法であれば、その包装箱は再利用できず、無駄になってしまうが、本例では再利用が可能である。また、近年は使用済みトナーカートリッジのリサイクルも活発に行われており、ユーザーから返却される場合に、表示が異なっていても取次店等で容易に組み立て直すことができる。また、異なる製品の包装箱も使用できるので対環境性にも優れたものである。
【００３５】
なお、上記の説明では、水平折曲部、第一及び第二の垂直折曲部共に、２つずつの折曲位置を有する例を示した。すなわち、水平折曲部Ｈ１には、第一の水平折曲位置Ｈ１ａと第二の水平折曲位置Ｈ１ｂとを、第一及び第二垂直折曲部には、それぞれ第一の垂直折曲位置Ｖ１ａ、Ｖ２ａと第二の垂直折曲位置Ｖ１ｂ、Ｖ２ｂとを有する例を用いて説明した。これは、フラップ１ａが、識別標示の表示と共に、内容物の緩衝材としての役割を果たすことも可能なように構成されているからである。
【００３６】
本例では、上記のように構成したが、必ずしも、本例のように２つの折曲位置を有する必要はなく、単純に水平折曲部は一つの水平折曲位置を、第一及び第二の垂直折曲部はそれぞれ一つずつの垂直折曲位置を有するように構成してもよい。
【００３７】
［第二の実施の形態］
次に第二の実施の形態について図１０に基づいて説明する。図１０に示す包装箱１００は展開図であり、また、必要な表示は全てこの一面上に印刷される。上記第一の実施の形態では、識別標示として、第一の識別標示Ｓ１とＳ２との２種類を用いて説明した。本実施の形態では、第一の実施の形態に加えて、図１０に示すように、フラップ１ａを延長して、フラップ片１ａ３を設ける。そして、延長部分であるフラップ片１ａ３と元の状態のフラップ１ａとの境界に第二の水平折曲部Ｈ２（第一の水平折曲位置Ｈ２ａと第二の水平折曲位置Ｈ２ｂ）を設ける。フラップ片１ａ３には第三の識別標示として識別標示Ｓ３を設ける。
【００３８】
折り曲げ加工に関しては、おおむね、第一の実施の形態において説明したものと同様の手順である。フラップ１ａの折り曲げ加工に際して、先に水平折曲部Ｈ２を折り曲げ、その後、第一又は第二の垂直折曲部Ｖ１、Ｖ２を折り曲げると、フラップ片１ａ３は、フラップ片１ａ１及び１ａ２によって隠されて図１又は図５と同様に、識別標示Ｓ２又はＳ１が表示部７を通して表示できる。先に、第一又は第二の垂直折曲部Ｖ１、Ｖ２を折り曲げ、その後、水平折曲部Ｈ２を折り曲げると、フラップ片１ａ１及び１ａ２がフラップ片１ａ３によって隠されて、識別標示Ｓ３が表示部７を通して表示できる。
【００３９】
このように、シート状の包装材料の一面側のみへの印刷で、別部材や筆記用具を必要とせず、側板部の内面に対向する面の数分だけ、異なった内容物の表示が可能となる。本例では、２つの折曲位置を有する例を用いて説明したが、単純に水平折曲部はそれぞれ一つの水平折曲位置を、垂直折曲部はそれぞれ一つずつの垂直折曲位置を有するように構成してもよい。
【００４０】
［第三の実施の形態］
次に第三の実施の形態について、図１１の展開図に基づいて説明する。第三の実施の形態では、第一及び第二の実施の形態において説明した第一のフラップ部（フラップ１ａ）に設けた識別標示Ｓ１、Ｓ２、Ｓ３に加えて、第二のフラップ部（本例ではフラップ１ｂ）にも、識別標示Ｓ４を設ける。また、第一のフラップ部（フラップ１ａ）に連接した第一の側板部（側板２ａ）に加えて、第二のフラップ（フラップ１ｂ）に連接した第二の側板部（側板２ｂ）にも、第二の表示部（表示部９）を設ける。
【００４１】
このように構成することにより、包装箱の周囲の複数の方向より視認可能な表示を行うことができる。本例のように直方体の包装箱の場合、保管場所によって、方向を変えて積みたいような場合がある。このような場合でも良好に視認可能な表示を、別部材や筆記用具を必要とせずに実現できる。
【００４２】
図１１に示した例では、第二のフラップ部としてのフラップ１ｂに識別標示Ｓ４を設けている。ここでは、識別標示Ｓ１、Ｓ２、Ｓ３とは異なり、略称や記号で表すような識別標示Ｓ４ａ〜Ｓ４ｄで例示している。例えば、製品名がＴＫ−７０１であった場合、幅の広い長側板である側板２ａに連接したフラップ１ａに設けた識別標示Ｓ１（Ｓ２、Ｓ３）には、製品名全てを記載する。幅の狭い短側板である側板２ｂに連接したフラップ１ｂに設けた識別標示Ｓ４（Ｓ４ａ）には、省略した形の「１」を記載するなどである。
【００４３】
また、本例で梱包される製品がカラー複写機やカラープリンター用のトナーカートリッジであった場合には、識別標示Ｓ１、Ｓ２、Ｓ３は、色別のトナーの型式を表示し、識別標示Ｓ４のそれぞれには、トナーの色をカラーパッチで表示するという方法を取ってもよい。例えば、製品名が、「ＴＫ−７０１Ｃ（シアン）」、「ＴＫ−７０１Ｍ（マゼンタ）」、「ＴＫ−７０１Ｙ（イエロー）」などで、この名称を識別標示Ｓ１、Ｓ２、Ｓ３に示し、識別標示Ｓ４には、シアン、マゼンタ、イエローをその色で塗ったカラーパッチで表現するなどである。
【００４４】
第二の表示部として機能する表示部９は、本例では、円形の小窓（表示部９ａ〜９ｄ）で構成する。また、この円形の小窓は、通常は貫通しておらず、ミシン目等で打ち抜き可能に加工されている。このミシン目は、段ボール材料を切り抜き成形する際に同時に加工できる。
【００４５】
そして、例えば、トナーカートリッジ（製品名ＴＫ−７０１）を包装箱に梱包した場合には、表示部９ａを打ち抜いて貫通させる。このとき、フラップ１ｂは、折り曲げ加工されて、識別標示Ｓ４は、側板部２ａ内面に対向している。従って、貫通した表示部９ａを通して、外部から識別標示Ｓ４ａが視認可能となる。本例では、製品名ＴＫ−７０１の略称としての、「１」が視認可能となる。カラーパッチを使う場合も同様である。
【００４６】
このように構成することによって、本例のように側板２ｂが幅の狭い短側板であっても、小窓の形状の表示部９を用いて、略号やカラーパッチを表示することが可能である。また、本例のように縦横比の大きな直方体の包装箱の場合、ユーザーが保管する際に積み方を変えたい場合がある。その際に複数の方向、すなわち、長側板と短側板とのどちら側からでも良好に内容物の表示を視認可能にできる。
【００４７】
上記の例では、第一の識別標示と、第二の識別標示とで同じ内容物を示す例を示したが、これに限ることはない。識別標示Ｓ１、Ｓ２、Ｓ３は、例えば機種別に設けられたトナーの型式を表示し、識別標示Ｓ４のそれぞれには、トナーの色をカラーパッチで表示するという方法を取ってもよい。このようにすると、図１１に示した例の包装箱を使用した場合においても、１２種類の製品を同一の包装箱で梱包することが可能となる。
【００４８】
このように構成すると、複数面からの識別を可能にするという利点は損なわれるが、通常、ユーザーが所有する機種は１種類なので、カラーパッチだけが視認できる状態で保管していても、利便性を享受することは可能である。
【００４９】
第三の実施の形態では、第一の識別標示と、第二の識別標示とで異なる構成を持つ例を説明したが、もちろん両識別標示を同じ形で構成してもよい。
【００５０】
以上、説明した方法を用いることによって、同一の包装箱を用いる場合でも、包装箱以外の別部材や筆記用具などを必要とせずに内容物の表示を変更できる包装箱を提供することが可能となる。
【図面の簡単な説明】
【００５１】
【図１】本発明の第一の実施形態に係る包装箱の折り曲げ加工の手順を示す斜視図
【図２】本発明の第一の実施形態に係る包装箱の折り曲げ加工の手順を示す斜視図
【図３】本発明の第一の実施形態に係る包装箱の折り曲げ加工の手順を示す斜視図
【図４】本発明の第一の実施形態に係る包装箱の折り曲げ加工完成状態を示す斜視図
【図５】本発明の第一の実施形態に係る包装箱の折り曲げ加工の手順を示す斜視図
【図６】本発明の第一の実施形態に係る包装箱の折り曲げ加工の手順を示す斜視図
【図７】本発明の第一の実施形態に係る包装箱の折り曲げ加工の手順を示す斜視図
【図８】本発明の第一の実施形態に係る包装箱の折り曲げ加工完成状態を示す斜視図
【図９】図１〜図８に係る包装箱の展開図
【図１０】本発明の第二の実施形態に係る包装箱の展開図
【図１１】本発明の第二の実施形態に係る包装箱の展開図
【図１２】従来の包装箱の完成状態を示す斜視図
【符号の説明】
【００５２】
１              フラップ部
１ａ〜１ｃ      フラップ
２              側板部
２ａ〜２ｄ      側板
３              天板部
７              表示窓
Ｓ１、Ｓ２      識別標示
１００          包装箱
【図１】
2005263266.tif 000003
【図２】
2005263266.tif 000004
【図３】
2005263266.tif 000005
【図４】
2005263266.tif 000006
【図５】
2005263266.tif 000007
【図６】
2005263266.tif 000008
【図７】
2005263266.tif 000009
【図８】
2005263266.tif 000010
【図９】
2005263266.tif 000011
【図１０】
2005263266.tif 000012
【図１１】
2005263266.tif 000013
【図１２】
2005263266.tif 000014